(57)【要約】【課題】各部材を合理的に配設し、錠箱内の空間を有効的に活用し、ラッチ引き戻し装置に加え、他の装置を組み込むことができること。【解決手段】錠箱の内部空間の中心部に形成された作動杆枠部内にラッチと一体的に設けられかつ水平動する作動杆を配設し、この作動杆を基準にして前記内部空間の上方か下方の一方にラッチ引き戻し装置を組み込み、このラッチ引き戻し装置は、操作ハンドル軸と協働すると共に、前記作動杆の被係合部と係合する係合部を有するラッチカムと、このラッチカムの被係合部と係合するカム圧接体と、該カム圧接体を付勢するラッチカムバネとから成り、前記作動杆の後方にはラッチバネを配設し、前記ラッチは、操作ハンドル軸によってラッチカムがラッチカムバネのバネ力に抗して回転すると、作動杆と共にラッチバネのバネ力に抗して後退動することを特徴とする扉錠のラッチ引き戻し装置。【選択図】  図１
2004204662.tif 000002
【特許請求の範囲】
【請求項１】
錠箱の内部空間の中心部に形成された作動杆枠部内にラッチと一体的に設けられかつ水平動する作動杆を配設し、この作動杆を基準にして前記内部空間の上方か下方の一方にラッチ引き戻し装置を組み込み、このラッチ引き戻し装置は、操作ハンドル軸と協働するラッチカムと、このラッチカムの係合部に一端部側が係合すると共に、該ラッチカムの駆動力により水平移動する仲介スライダーと、この仲介スライダーの他端部と垂直方向に交差するように一端部が軸支され、かつ、該仲介スライダーに設けた突起ピンに枢支端部寄り部位が係合するラッチ用引き戻し揺動アームとから成り、前記引き戻し揺動アームの自由端部はラッチの作動杆の被係合部に係合すると共に、作動杆の後方にはラッチバネを配設し、また、前記内部空間には前記ラッチカムを初期位置に押し戻すラッチカムバネと、カム圧接体とをそれぞれ組み込み、前記ラッチは、操作ハンドル軸によってラッチカムがラッチカムバネのバネ力に抗して回転すると、仲介スライダー及び引き戻し揺動アームが協働し、作動杆と共にラッチバネのバネ力に抗して後退動することを特徴とする扉錠のラッチ引き戻し装置。
【請求項２】
請求項１に於いて、作動杆枠部を基準とし、錠箱５の一方の空間にはラッチ引き戻し装置Ｘを構成する部材が、一方、錠箱５の他方の空間にはサムターン錠の締め出し防止装置Ｙを構成する部材がそれぞれ組み込まれていることを特徴とする扉錠のラッチ引き戻し装置。
【請求項３】
請求項２に於いて、サムターン錠の締め出し防止装置Ｙは、作動杆に係合するサムターンダルマ用リリース構成部材を備え、該リリース構成部材は、作動杆に形成したレバー逃がし用切欠部の被係合面に先端部の係合爪部が係合するように軸支されたレバーと、このレバーの下端部に先端部側が係合するように設けられ、かつ、水平方向に摺動するロック片解除用のスライダーとから構成されていることを特徴とする室内扉のサムターン錠の締め出し防止装置。
【請求項４】
錠箱の内部空間の中心部に形成された作動杆枠部内にラッチと一体的に設けられかつ水平動する作動杆を配設し、この作動杆を基準にして前記内部空間の上方か下方の一方にラッチ引き戻し装置を組み込み、このラッチ引き戻し装置は、操作ハンドル軸と協働すると共に、前記作動杆の被係合部と係合する係合部を有するラッチカムと、このラッチカムの被係合部と係合するカム圧接体と、該カム圧接体を付勢するラッチカムバネとから成り、前記作動杆の後方にはラッチバネを配設し、前記ラッチは、操作ハンドル軸によってラッチカムがラッチカムバネのバネ力に抗して回転すると、作動杆と共にラッチバネのバネ力に抗して後退動することを特徴とする扉錠のラッチ引き戻し装置。
【請求項５】
請求項４に於いて、作動杆枠部を基準とし、錠箱５の一方の空間にはラッチ引き戻し装置Ｘを構成する部材が、一方、錠箱５の他方の空間にはサムターン錠の締め出し防止装置Ｙを構成する部材がそれぞれ組み込まれていることを特徴とする扉錠のラッチ引き戻し装置。
【請求項６】
請求項５に於いて、サムターン錠の締め出し防止装置Ｙは、作動杆に係合するサムターンダルマ用リリース構成部材を備え、室内扉の閉戸時、ラッチが戸枠の縁に当って後退すると、作動ギヤを有するリリース構成部材が作動杆の後退動に協働して前記サムターンダルマを回動させ、これによりラッチカム用ロック片の一方の係合部７０ａが係合解除の方向へ移動することを特徴とする扉錠のラッチ引き戻し装置。
【発明の詳細な説明】
【０００１】
【発明の属する技術分野】
本発明は、扉錠のラッチ引き戻し装置に関する。
【０００２】
【従来の技術】
従来技術として特開平１０−３０３６８号公報に記載の発明を指摘することができる。この公報に記載の実施例は、錠箱内にラッチ引き戻し装置を構成する各部材をラッチの軸（柄部）方向に、いわば直線的に組み込んでいる。すなわち、ラッチ軸を有するラッチボルトを基準にして、錠箱内の上方空間に第１摺動部材（長板状のＬ型スライダー片）を配設し、一方、錠箱内の下方空間に第２摺動部材（長板状のＬ型スライダー片）を配設し、これら上下の摺動部材の後端部にそれぞれ係合するようにカムラッチ（ハンドル軸で回転するハブ）を設け、該カムラッチと上下の摺動部材との間な錠箱に軸支された揺動レバー等を設けている。
【０００３】
もちろん、この従来例も錠箱内の各部材を効率良く配設（スペースを有効的に活用する）ことを目的としているが、前述したように、ラッチ引き戻し装置を構成する各部材をラッチボルトの軸（柄部）方向に、いわば直線的に組み込んでいるので、必ずしもスペースを有効的に活用しているものとは断言できない。
したがって、錠箱内にラッチ引き戻し装置（機構）以外にも、その他の装置（機構）、例えばサムターン錠の締め出し防止装置を設けるには無理がある。そこで、もっと、ラッチ引き戻し装置を構成する各部材の配置、組み合わせ、各部材の協働関係を工夫して錠箱内のスペースを有効的に活用することが望まれる。
【０００４】
【発明が解決しようとする課題】
本発明の第１の目的は、各部材を合理的に配設し、錠箱内の空間を有効的に活用することである。第２の目的は、錠箱内に各部材を簡単に組み込むことができることである。第３の目的は、錠箱にラッチ引き戻し装置の他に、例えばサムターン錠の締め出し防止装置を設けることができることである。その他各部材がスムースに作動することである。
【０００５】
【課題を解決するための手段】
本発明の扉錠のラッチ引き戻し装置は、錠箱の内部空間の中心部に形成された作動杆枠部内にラッチと一体的に設けられかつ水平動する作動杆を配設し、この作動杆を基準にして前記内部空間の上方か下方の一方にラッチ引き戻し装置を組み込み、このラッチ引き戻し装置は、操作ハンドル軸と協働するラッチカムと、このラッチカムの係合部に一端部側が係合すると共に、該ラッチカムの駆動力により水平移動する仲介スライダーと、この仲介スライダーの他端部と垂直方向に交差するように一端部が軸支され、かつ、該仲介スライダーに設けた突起ピンに枢支端部寄り部位が係合するラッチ用引き戻し揺動アームとから成り、前記引き戻し揺動アームの自由端部はラッチの作動杆の被係合部に係合すると共に、作動杆の後方にはラッチバネを配設し、また、前記内部空間には前記ラッチカムを初期位置に押し戻すラッチカムバネと、カム圧接体とをそれぞれ組み込み、前記ラッチは、操作ハンドル軸によってラッチカムがラッチカムバネのバネ力に抗して回転すると、仲介スライダー及び引き戻し揺動アームが協働し、作動杆と共にラッチバネのバネ力に抗して後退動することを特徴とする。
【０００６】
上記構成に於いて、作動杆枠部を基準とし、錠箱５の一方の空間にはラッチ引き戻し装置Ｘを構成する部材が、一方、錠箱５の他方の空間にはサムターン錠の締め出し防止装置Ｙを構成する部材がそれぞれ組み込まれていることを特徴とする。また、サムターン錠の締め出し防止装置Ｙは、作動杆に係合するサムターンダルマ用リリース構成部材を備え、該リリース構成部材は、作動杆に形成したレバー逃がし用切欠部の被係合面に先端部の係合爪部が係合するように軸支されたレバーと、このレバーの下端部に先端部側が係合するように設けられ、かつ、水平方向に摺動するロック片解除用のスライダーとから構成されていることを特徴とする。
【０００７】
また、本発明の扉錠のラッチ引き戻し装置は、錠箱の内部空間の中心部に形成された作動杆枠部内にラッチと一体的に設けられかつ水平動する作動杆を配設し、この作動杆を基準にして前記内部空間の上方か下方の一方にラッチ引き戻し装置を組み込み、このラッチ引き戻し装置は、操作ハンドル軸と協働すると共に、前記作動杆の被係合部と係合する係合部を有するラッチカムと、このラッチカムの被係合部と係合するカム圧接体と、該カム圧接体を付勢するラッチカムバネとから成り、前記作動杆の後方にはラッチバネを配設し、前記ラッチは、操作ハンドル軸によってラッチカムがラッチカムバネのバネ力に抗して回転すると、作動杆と共にラッチバネのバネ力に抗して後退動することを特徴とする。
【０００８】
上記構成に於いて、作動杆枠部を基準とし、錠箱５の一方の空間にはラッチ引き戻し装置Ｘを構成する部材が、一方、錠箱５の他方の空間にはサムターン錠の締め出し防止装置Ｙを構成する部材がそれぞれ組み込まれていることを特徴とする。またサムターン錠の締め出し防止装置Ｙは、作動杆に係合するサムターンダルマ用リリース構成部材を備え、室内扉の閉戸時、ラッチが戸枠の縁に当って後退すると、作動ギヤを有するリリース構成部材が作動杆の後退動に協働して前記サムターンダルマを回動させ、これによりラッチカム用ロック片の一方の係合部７０ａが係合解除の方向へ移動することを特徴とする。
【０００９】
【発明の実施の形態】
図１乃至図７を参照にして本発明の一実施例を説明する。まず、環境部材について簡単に説明する。１は寝室、トイレ等の出入口の戸枠、２はストライクを有する受け金具、３は戸枠の縁（直接的にはストライクも含まれる）、４は水平方向に回動して出入口を開閉する室内扉、５は室内扉の戸先に設けられ、かつ、ラッチカムの駆動力によりラッチが錠箱内に後退するラッチ引き戻し装置Ｘなどを備えた錠箱、６は錠箱５の一部を構成するフロントである。
【００１０】
次に錠箱５について簡単に説明する。錠箱５は、図２で示すように、ケース身５ａと、このケース身の一側開口を閉鎖するケース蓋５ｂとから成る。ここでは、図２を参照にして請求項１（独立項）に関係する構成を説明する。
【００１１】
７は長板状の取付け前板で、この取付け前板７は図しない固着具を介して前述したフロント６と合体する。８はフロント６並びに取付け前板７に形成した開口窓を基準にしてケース身５ａに対向壁状に形成された隔壁状のラッチ枠部で、このラッチ枠部８は、ケース身５ａの中央部先端部（図では左側）に取付け前板７の内壁面からケース身５ａの後壁９に向かって水平状態に設けられ、その後端部側は対称的なＬ型形状となっている。
【００１２】
１０はラッチ枠部８の後端部に連設する隔壁状の作動杆枠部で、この作動杆枠部１０は、上方水平突壁１０ａと、この上方水平突壁１０ａに対して所要の収納空間を設けて対向する下方水平突壁１０ｂと、これらの水平突壁１０ａ，１０ｂの後端部に直交して連設する後突壁１０ｃとから成る。
【００１３】
１１は前記下方水平突壁１０ｂの一部に形成したサムターン錠の締め出し防止装置Ｙを構成するリリースレバー用の切欠部である。このリリースレバー用切欠部１１の直下方にレバー用固定軸１２が形成されている。なお、ここで、「サムターン錠」とは、住宅内部におけるハンドル錠の施錠装置の意味である。また「締め出し防止装置」とは、建物の出入口又はトイレ、寝室などの室内の出入口に設けた室内扉を、扉が開いている時に施錠して、その後に扉を不注意に閉じた際に締め出し事態が発生する場合を防止するための錠を意味する。ハンドル錠のハンドルには、レバーハンドルの他にノブも含まれる。
【００１４】
さて、ラッチ枠部８の後端部には、もう一つの収納空間を形成する突壁状の枠部が連設形成されている。本実施例では、作動杆枠部１０の前記上方水平突壁１０ａが一部兼用している。すなわち、１３は所要のバネ収納空間１４を形成するために上方水平突壁１０ａと対向状態に設けられた第３の水平突壁である。
【００１５】
したがって、本実施例のケース身５ａは、内部にラッチ枠部８の後端部に上下方向に複数個の隔壁に相当する水平突壁１０ａ，１０ｂ，１３を棚状に形成し、これらの水平突壁によって形成された上下関係の収納空間に後述のラッチの作動杆と、ラッチカムバネとをそれぞれ水平状態に組み込んだことを特徴としている。これによりケース身５ａの内部空間を有効的に活用している。なお、本実施例ではラッチ枠部８の後端部に連設する複数個の水平突壁１０ａ，１０ｂ，１３を連続的に形成しているが、一部に切欠部を形成しても良い。
【００１６】
次に１５は前記第３の水平突壁１３の上壁内面に連設形成された筒状嵌合突起で、この筒状嵌合突起１５は、第３の水平突壁１３の外端面よりも若干外側に突出し、本実施例ではケース蓋５ｂの上端部の中央部に形成した図示しない合体用嵌合孔と嵌合する。１７は同じく前記第３の水平突壁１３の上壁及び筒状嵌合突起１５の外周壁の一部に連設形成されたラッチカム用の第１ストッパー部である。この第１ストッパー部１７は、ケース身５ａの上壁１８と対向する側に傾斜状のストッパー面５１Ａと、このストッパー面５１Ａに角度方向に弧状に連設するガイド面１７ｂとを有している。
【００１７】
次に１９は第１ストッパー部１７のガイド面１７ｂと対向するようにケース身５ａの後壁９の内壁面に突設された筒状突起のラッチカム用第２ストッパー部である。このラッチカム用第２ストッパー部１９と前記第１ストッパー部１７との間に、後述するラッチカム用の嵌合孔２０が形成されている。
【００１８】
次にケース身５ａには、組み込まれる幾つかの部材を水平方向に案内するための水平案内部（水平案内溝、水平長孔など）が形成されている。その一つは、前述した第３の水平突壁１３とケース身５ａの上壁１８の先端部側（左側）との間に形成された仲介スライダー用の第１案内長孔２１である。もう一つは、第３の水平突壁１３の後端部と作動杆枠部１０の上方水平突壁１０ａの後端部との間に形成されたカム圧接片用の第２案内長孔２２である。
【００１９】
次に２３は仲介スライダー用第１案内長孔２１とケース身５ａの上壁１８の先端部との間に突出形成された引き戻し揺動アーム用枢軸である。そして、ケース身５ａの適宜箇所、例えば上部の左右には、メネジを有する複数個の取付け突起２４，２４が設けられ、その一つ（右側の取付け突起）は、ラッチカム用第３ストッパー部の機能を果す。
【００２０】
次に２５は本発明の特定要件に直接的には関係はないが、ケース身５ａの後壁９の中央部付近に突設されたロック片用の第２枢軸である。なお、ケース蓋５ｂには、ラッチカム用嵌合孔、合体用嵌合孔、複数個の水平長孔、複数個の取付け用貫通孔が形成されているが、図示及び説明を割愛する。
【００２１】
以上が、本発明の主たる部材に関係があるケース身５ａの構成である。そこで、本発明の扉錠のラッチ引き戻し装置Ｘは、錠箱５の内部空間の中心部に形成された作動杆枠部１０内にラッチと一体的に設けられ、かつ、水平動する作動杆５０を配設し、この作動杆５０を基準にして前記内部空間の上方か下方の一方にラッチ引き戻し装置を組み込みこまれている。第１実施例ラッチ引き戻し装置Ｘは、、図１で示すように上方の内部空間に配設され、操作ハンドル軸と協働するラッチカム３０と、このラッチカム３０の係合部３５に一端部側が係合すると共に、該ラッチカムの駆動力により水平移動する横長状の仲介スライダー４０と、この仲介スライダー４０の他端部と垂直方向に交差するように一端部が軸支され、かつ、該仲介スライダー４０に設けた突起ピン４４に枢支端部寄り部位が係合するラッチ用引き戻し揺動アーム４６とから成る。そして、前記引き戻し揺動アーム４６の自由端部４９はラッチ６１の作動杆５０の被係合部５６に係合すると共に、作動杆５０の後方にはラッチバネ５１を配設し、また、前記上方の内部空間には前記ラッチカム３０を初期位置に押し戻すラッチカムバネ６５と、カム圧接体６６とをそれぞれ組み込み、前記ラッチ６１は、操作ハンドル軸によってラッチカム３０がラッチカムバネ６５のバネ力に抗して回転すると、仲介スライダー４０及び引き戻し揺動アーム４６が協働し、作動杆５０と共にラッチバネ５１のバネ力に抗して後退動する。以下、各部材を詳細に説明する。
【００２２】
まず、３０は操作ハンドル軸（芯軸）３１と協働するラッチカムである。ラッチカム３０はケース身５ａ及びケース蓋５ｂの嵌合孔２０に嵌合する。ラッチカム３０は操作ハンドルの操作によって回動可能である。普通一般に内外の操作ハンドルが水平状態に位置している場合（初期位置）には、ラッチは錠箱のフロントから突出している。したがって、操作ハンドルを所定角度まで押し下げると、ラッチは錠箱内に後退する。本実施例も同様である。
【００２３】
さて、図１及び図３を参照にしてラッチカム３０の構成を説明する。３２はハンドル軸３１が貫通する角軸孔を有する筒状嵌合部（ハブ）、３３は筒状嵌合部３２の周壁に連設する環状の摺接部、３４は環状摺接部３３の一部から半径方向に突出形成された魚の尻尾形状のロック片用被係合部、３５は同じく環状摺接部３３の一部から半径方向に突出形成された一部魚の尻尾形状の仲介スライダー用ラッチカム係合部である。
【００２４】
ラッチカム係合部３５はロック片用被係合部３４に対して反対方向（図では上方）に位置し、操作ハンドル３６が初期位置（水平位置）にある時は、ラッチカム用第１ストッハー部１７のストッパー面５１Ａに圧接している。この時同時に前記ロック片用被係合部３４は後壁側の第２ストッパー部１９に圧接している。
【００２５】
次に４０はラッチカム３０のラッチカム係合部３５に一端部側（図１では後端部側）が係合すると共に、該ラッチカムの駆動力により水平移動する横長状仲介スライダーである。この横長状仲介スライダー４０は、本実施例では、図１で示すようにケース身５ａの上壁１８の内壁面に沿うよう配設されている。
【００２６】
図４を参照に仲介スライダー４０を説明する。仲介スライダー４０は、外観上、ピストル形状の枠片部材である。一端部に細い突片部４１が形成されているが、この突片部４１はケース身の上壁１８の内壁面と摺接可能である。４２は一端部の上壁部分に形成され、かつ、前述したラッチカム係合部３５に遊嵌合状態に係合する矩形状の被係合部（例えば係合孔）である。
【００２７】
仲介スライダーの他端部（図１では先端部側）は逆Ｌ字状になっている。つまり、他端部は下方に段差状に連設している。この他端部には一対の貫通小孔４３が形成され、該貫通小孔４３には、突起ピン４４が貫通状態に設けられている。突起ピン４４と仲介スライダー４０とは一体的である。突起ピン４４の突出端部は、ケース身５ａ及びケース蓋５ｂの第１案内長孔２１に係合している。
【００２８】
したがって、仲介スライダー４０は、該突起ピン４４にも案内されて水平移動する。なお、仲介スライダー４０がケース身の後壁９側に移動した場合には、その後端部の内側の弧状面４５は、ケース身５ａの筒状嵌合突起１５の外周面に当接可能である。
【００２９】
次に４６は仲介スライダー４０の他端部と交差するように一端部（図１では上端部）が第１の枢軸２３に軸支され、かつ、該仲介スライダーに設けた突起ピン４４に枢支端部寄り部位が係合するラッチ用引き戻し揺動アームである。
【００３０】
図５を参照にして仲介スライダー４０と協働する引き戻し揺動アーム４６について説明する。４７は枢支端部に形成された軸孔、４８は長板部、４９は一部円形状の自由端部である。軸孔４７は前述したように第１の枢軸２３に嵌り合う。
【００３１】
長板部４８はケース身５ａの第３水平突壁１３及び作動杆枠部の上方水平突壁１０ａに跨っている。したがって、自由端部４９は作動杆枠部１０内の先端部側に臨んでいる。本実施例では、引き戻し揺動アーム４６の自由端部４９は、次に説明する作動杆の側壁の係合溝に係合するように添設されている。
【００３２】
次に５０は引き戻し揺動アーム４６の自由端部４９と係合するように作動杆枠部１０内にラッチバネ５１と共に水平状態に配設されたラッチの作動杆である。この作動杆５０はラッチ枠部１４内の空間と連通する所要の空間内にラッチバネ１７に付勢された状態で組み込まれ、水平方向に摺動自在に移動可能である。図５を参照にしてラッチの作動杆５０を説明する。図５で示すように、作動杆５０は、端面矩形状の短い角材形状である。
【００３３】
しかして、５２は作動杆５０の先端部に形成されたラッチ軸用の段差状被嵌合溝で、この被嵌合溝５２に後述するラッチ軸の鍔状嵌合部が嵌め込まれる。一方、５３は作動杆５０の後端部の壁面に形成されたラッチバネ用のバネ端収納凹所（バネ端支持部）で、このバネ端収納凹所５３と作動杆枠部１０の後壁１０ｂとの間にラッチ６１を間接的に付勢するラッチバネ５１が横状態に組み込まれている。
【００３４】
５４は作動杆５０の底部の後端部寄り一部に横方向に沿って形成され、かつ、切欠部内の前方側に垂直或いは傾斜状の被係合面５５を有するレバー逃し用切欠部である。
【００３５】
さらに、５６は一側壁（図１を基準にすると正面の壁面）の先端部寄り一部に上端部の縁辺から底部付近に至るまで形成されたやや幅広の係合溝で、この幅広係合溝５６には、前述したように引き戻し揺動アーム４６の自由端部４９が余裕（下方に多少の間隙）を持って係合する。
【００３６】
次にフロント６を基準にして出没するラッチ６１について、図６を参照に説明する。このラッチ６１は、係合頭部６２と、この係合頭部６２に一体的に設けられたラッチ軸６３とから成り、前記係合頭部６２は、戸枠１の縁部３に当る傾斜状摺接面６２ａと、この傾斜状摺接面と交差し、閉戸時に受け金具２のストライクに係止される衝止面或いは係合面６２ｂと、この係合面６２ｂと直交する後壁面６２ｃとを有している。
【００３７】
また前記ラッチ軸６３は、その後端部に環状溝に連設する鍔状嵌合部６３ａを有している。ラッチ６１は、閉戸時に戸枠１の縁部３に当って後退する機能を有するのであれば、その形態や機能を特に限定するものではない。したがって、後退しながら回動する反転ラッチでも良い。本実施例では、ラッチ６１はラッチ軸６３を介して作動杆５０に一体的に合体している。
【００３８】
最後に、６５は図１で示すように、バネ収納空間１４に組み込まれたラッチカムバネで、このラッチカムバネ６５は、ケース身５ａの第２案内長孔２２に案内されるブロック形状のカム圧接体６６を介してラッチカム３０を初期位置に押し戻す機能を有する。
【００３９】
次に図１及び図７を参照にして作用について説明する。図１は仮想線で示す操作ハンドル３６が水平状態に位置している場合している。この場合、ラッチ６１はラッチバネ５１のバネ力により、しかも作動杆５０を介してフロント６から突出している。一方、ラッチカム３０は、ラッチカムバネ６５の比較的強いバネ力により、カム圧接片６６を介して反時計方向に回動し、その下方の被係合部３４が第２ストッパー部１９に当接している。この時、仲介スライダー４０は、フロント６側に多少後退し、協働関係にある引き戻し揺動アーム４６は、略垂直状態に垂れ下がっている。
【００４０】
そこで、図７で示すように、操作ハンドル（例えばレバーハンドル）３６を下げる。図７は操作ハンドル３６を下げた中途状態の説明図であるが、操作ハンドル３６を下げると、操作ハンドル軸３１と一体のラッチカム３０は、操作ハンドルの回動に伴い、ラッチカムバネ６５のバネ力に抗して時計方向に回り始める。
【００４１】
したがって、図７の矢印で示すように、仲介スライダー４０とカム圧接片６６の移動方向が逆になる。すなわち、仲介スライダー４０は、その被係合部４２がラッチカム３０のラッチカム係合部３５に係止されているために、ラッチカム３０が時計方向に回動すると、第１案内長孔２１及びケース身５ａの上壁１８に案内されて移動する。この時仲介スライダー４０の突起ピン（可動ピン）４４は錠箱５の水平案内部２１に案内されて移動するため、引き戻し揺動アーム４６は枢軸２３を支点に矢印で示す反時計方向に回動する。したがって、作動杆５０はラッチバネ５１のバネ力に抗して後退する。
【００４２】
しかして、ラッチ６１は作動杆５０とラッチ軸６３を介して一体的に結合しているから、作動杆５０が後退すると、錠箱５内へと後退する。
【００４３】
したがって、本発明の扉錠のラッチ引き戻し装置Ｘは、ラッチカム３０が操作ハンドル軸３１によって回動すると、仲介スライダー４０及び引き戻し揺動アーム４６が協働してラッチの作動杆５０をラッチバネ５１のバネ力に抗して後退動させる。
【００４４】
ところで、本実施例では、錠箱５の内部空間を有効的に活用するために、図１で示すように、作動杆枠部１０を基準とし、錠箱５の上方空間にはラッチ引き戻し装置Ｘを構成する主たる部材が、一方、錠箱５の下方空間にはサムターン錠の締め出し防止装置Ｙを構成する主たる部材がそれぞれ組み込まれている。
【００４５】
そこで、図１を参照にしてサムターン錠の締め出し防止装置Ｙについて簡単に説明する。この締め出し防止装置Ｙは、ラッチバネ５１のバネ力によって突出するラッチ６１と、操作ハンドル３６の操作によって回動可能なラッチカム３０と、施錠時に該ラッチカム３０の回動をロックするロック片７０、該ロック片の回動を阻止する駆動腕を有するサムターンダルマ７１と、作動杆枠部１０の下方に配設されたサムターンダルマ用リリース構成部材７２とから成っている。なお、７５はクリック機能を有するサムターンダルマバネである。
【００４６】
しかして、前記リリース構成部材７２は、作動杆５０のレバー逃がし用切欠部５４の被係合面５５に先端部の係合爪部が係合するように軸支されたリリースレバー７３と、このリリースレバー７３の下端部に先端部側が係合するように設けられ、かつ、水平方向に摺動するスライダー７４とから構成されている。
【００４７】
このサムターン錠の締め出し防止装置Ｙの作用に関しては、室内扉４の閉戸時、前記ラッチ６１が戸枠１の縁３に当って後退すると、リリース構成部材７２のリリースレバー７３並びにスライダー７４が作動杆５０の後退動に協働（連動）して前記サムターンダルマ７１の駆動腕７１ａをロック片７０の下方係合部７０ａから引き離し、これにより、ラッチカム用ロック片７０がその復帰バネ７６のバネ力により係合解除の方向へ移動（例えば回動）する。
【００４８】
【実施例】
本実施例のラッチ６１とラッチ用作動杆とは別部材を一体的に連結されているが、ラッチ６１のラッチ軸６３に引き戻し揺動アーム４６の自由端部が係合する係合部（幅広溝）を有するラッチ作動杆を形成しても良い（これも同一発明である）。
【００４９】
また本実施例の係合部又は被係合部の関係は逆であっても良い。例えばラッチカム３０に形成したラッチカム係合部３５は突起であるが、これを被係合部としての溝にし、一方、横長状仲介スライダー４０の一端部の形成した係合孔４２を、係合突起としての係合部に設計変更しても良い。
【００５０】
さらに、仲介スライダーに設けた突起ピン４４とラッチ用引き戻し揺動アーム４６の枢支端部寄り部位との係合についても、両部材４４，４６の溝や係合孔の係合関係に設計変更することができるから、このような変更例に関しても、「枢支端部寄り部位が係合している」意味に含まれる。
【００５１】
次に図８は仲介スライダー７４Ａの他の例を示す。前述した仲介スライダー４０は、後端部の一対の貫通小孔４３に錠箱５の水平案内部に案内される突起ピン４４を貫設しているが、少なくとも引き戻し揺動アーム４６を揺動させる機能を有するのであれば、図８に示すように仲介スライダー７４Ａの後端部に一対或いは一つの突起軸４４Ａ，４４Ａを形成しても良い。
【００５２】
次に図９〜図１４を参照し、本発明の第２実施例について説明する。なお、この第２実施例に於いて、作動杆枠部１０Ａ或いは作動杆５０Ａを基準とし、錠箱５の一方の空間にはラッチ引き戻し装置Ｘを構成する部材が、一方、錠箱５の他方の空間にはサムターン錠の締め出し防止装置Ｙを構成する部材がそれぞれ組み込まれている点は第１実施例と同一なので、前記第１実施例と同一の部分には、同一又は同様の符号を付し、重複する説明を省略する。
【００５３】
そこで、まず第１実施例と第２実施例との違いを簡単に列挙すると、次のとおりである。（Ａ）ラッチ引き戻し装置Ｘは、錠箱５の内部空間の中心部に形成された長杆状の作動杆５０Ａを基準にして内部空間の下方に組み込まれており、一方、サムターン錠の締め出し防止装置Ｙは、前記作動杆５０Ａを基準にして内部空間の上方に組み込まれている点、（Ｂ）前記ラッチ引き戻し装置Ｘは、操作ハンドル軸と協働すると共に、前記作動杆５０Ａの被係合部５６Ａと係合するラッチカム係合部（上方）３５Ａを有するラッチカム３０Ａと、このラッチカム３０Ａの被係合部（下方）３４Ａと係合するブロック状カム圧接体６６Ａと、前記ラッチカム３０Ａを初期位置に押し戻すことができるように該カム圧接体６６Ａを付勢するラッチカムバネ６５Ａとから成る点、（Ｃ）ラッチバネ５１Ａは、作動杆枠部１０Ａ内ではなく、前記作動杆の後方と錠箱５の後壁９との間に配設されている点、（Ｄ）一方、サムターン錠の締め出し防止装置Ｙのサムターンダルマ用リリース構成部材は、後述するような違いがある。
【００５４】
図９は扉を閉じた状態に於いて、サムターンを施錠方向に廻していない解錠状態を示す。この図９と図１を比較すると明らかなように、第２実施例の作動杆５０Ａは、第１実施例のそれよりも長く、ラッチ枠８から作動杆枠部１０Ａを超えてケース身５ａの後壁９付近にまで至る長杆状である。
【００５５】
図１０は作動杆５０Ａとリリース構成部材７２Ａの作動ギヤ７３Ａの一つを示す。この作動杆５０Ａは、前述したようにラッチ６１の後方に水平動自在に配設された水平杆状の作動杆である点は第１実施例と同様であるが、作動杆５０Ａの全体的な形態は、図１０示すように端面矩形状の長い角材形状である。この実施例では作動杆枠部１０Ａに押しバネ機能を有するラッチバネ５１Ａに付勢された状態で貫通状態に組み込まれている。
【００５６】
図１０を基準に説明すると、５４Ａは第１作動ギヤ７３Ａの突出係合部７３ａが係合する作動ギヤ逃がし用切欠部である。この切欠部５４Ａは作動杆５０Ａの中央部の手前側上部に形成されている。したがって、５５Ａは前記第１作動ギヤ７３Ａの突出係合部７３ａが係合する切欠部の被係合面である。
【００５７】
５７は作動杆５０Ａの後端部の壁面に突出形成されたラッチバネ用のバネ端支持部で、このバネ端支持部５７と錠箱５の後壁９との間にラッチ６１を間接的に付勢するラッチバネ５１Ａが横状態に組み込まれている。
【００５８】
５６Ａは作動杆５０Ａの向こう側の側壁に形成された被係合部（幅広の切欠部）で、この幅広の被係合部５６Ａには、錠箱５の下方の空間スペースに組み込まれたラッチカム３０Ａの山形状係合部３５Ａを有する先端部が突き抜けるように入り込んでいる。５８は作動杆５０Ａの後端部寄りの下部に突設されたストッパーで、このストッパー５８は作動杆枠部１０Ａの垂直部分に当接可能である。
【００５９】
ここで、図１０を参照にしてリリース構成部材７２Ａの第１作動ギヤ７３Ａについて説明する。第１作動ギヤ７３Ａは、作動杆５０Ａの被係合面５５Ａにその突出係合部７３ａが係合するように固定支軸１２Ａを介して回動可能に設けられている。第１作動ギヤ７３Ａのギヤ部７３ｂは、周方向に半分程度程形成されている。したがって、このギヤ部７３ｂと突出係合部７３ａとを合わせると、第１作動ギヤ７３Ａは周方向に半分強突起部分があることになる。
【００６０】
図９を参照にすると、７１Ａは錠箱５の後壁寄り上部の内部空間に配設されたギヤ部を有するサムターンダルマである。このサムターンダルマ７１Ａと前記第１作動ギヤ７３Ａとの間にリリース構成部材７２Ａを構成する第２作動ギヤ７４Ａが回動自在に設けられている。
【００６１】
したがって、この第２実施例のリリース構成部材７２Ａは、作動杆５０Ａに対して係脱機能を有する第１作動ギヤ７３Ａと、この第１作動ギヤ７３Ａとサムターンダルマ７１Ａとの間に配設され、かつ、仲介伝達機能を有する第２作動ギヤ７４Ａとから成る。それ故に、これらの作動ギヤ７３Ａ，７４Ａは、第１実施例の腕杆状のレバー３２、プレート状のスライダー４０を歯車機構に置換している。
【００６２】
図１１を参照にしてアングル状ロック片７０Ａを説明する。ロック片７０Ａは、リリース構成部材７２Ａやサムターンダルマ７１Ａと同様に錠箱５の一方側（例えば上部）の内部空間に配設されている。すなわち、ロック片７０Ａは作動杆５０Ａの後方に位置するラッチバネ５１Ａとサムターンダルマ７１Ａとの間の内部空間に支軸２５Ａを介して回動（揺動）自在に設けられている。
【００６３】
ロック片７０Ａの形態は、図１１で示すように端面Ｕ字型状に形成され、かつ、ラッチカム３０Ａの係合部３５Ａと係脱する第１係合部７０ａと、この第１係合部に交差方向に連設し、かつ、サムターンダルマ７１Ａの駆動腕７１ａと係合する１対の指状第２係合部７０ｂとを有する。そして、ロック片７０Ａには支軸２５Ａを介してクリック機能を有するサムターンタルマバネ７５Ａが装着されている。
【００６４】
上記構成に於いて、図１２は、ラッチカム３０Ａが図示しない操作ハンドルによって時計方向に回動した時の作動態様を示す。この場合はラッチカム３０Ａの係合部３５Ａによって作動杆５０Ａがラッチバネ５１Ａのバネ力によって戻されるから、図９の状態から図１２の状態になる。なお、操作ハンドルから手を放すと、ラッチカム３０Ａはラッチカムバネ６５Ａのバネ力によりカム圧接体６６Ａを介して元の位置へと復帰する。
【００６５】
ところで、図１３は不注意によりインナーロックの状態になった場合を示す。一方、図１４は前記の場合に於いて、室内扉４を閉じた場合の瞬間を示す。この場合作動杆５０Ａがラッチ６１に押され、かつ、ラッチバネ５１Ａのバネ力に抗して後退すると、第１作動ギヤ７３Ａは、その突出係合７３ａが作動杆５０Ａの被係合面５５Ａに押されるため、固定軸１２Ａを支点に反時計方向へと回動する。第１作動ギヤ７３Ａが反時計方向へと回動すると、第２作動ギヤ７４Ａは矢印で示すように時計方向に回転する。
【００６６】
したがって、サムターンダルマ７１Ａの駆動腕７１ａは、ロック片７０Ａの一つの係合部７０ａから離れて、他方の係合部７０ｂへと移動する。このように駆動腕７１ａがサムターンダルマ７１Ａの回動のより位置を変えると、ロック片７０Ａも係合解除の方向へと多少回転することから、ラッチカム３０Ａは自由となり、作動杆５０Ａはラッチバネ５１Ａのバネ力に抗して後退する。それ故に、室内扉４の閉戸時、ラッチ６１が後退することにより、いわゆるインナーロックは常に解消される（常に図１４の状態となる）。
【００６７】
【発明の効果】
以上の説明から明らかなように、本発明にあっては、次に列挙するような作用・効果がある。
（１）各部材を合理的に配設し、錠箱内の空間を有効的に活用することができる。
（２）錠箱内に各部材を簡単に組み込むことができる。
（３）錠箱にラッチ引き戻し装置の他に、例えばサムターン錠の締め出し防止装置を設けることができる。
【図面の簡単な説明】
図１乃至図７は、本発明の第１実施例を示す各説明図。図８は仲介スライダーの他の例を示す斜視図。図９乃至図１４は、本発明の第２実施例を示す各説明図。
【図１】室内扉の閉戸時における正面から見た説明図。
【図２】ケース身に説明図。
【図３】ラッチカムと操作ハンドル軸の説明図。
【図４】仲介スライダーを中心とする説明図。
【図５】作動杆を中心とする説明図。
【図６】ラッチの平面からの説明図。
【図７】作用（中途状態）の説明図。
【図８】仲介スライダーの他の例を示す斜視図。
【図９】第２実施例の室内扉の閉戸時における正面から見た説明図。
【図１０】作動杆を中心とする説明図。
【図１１】ロック片の説明図。
【図１２】ラッチを引き戻した時に説明図。
【図１３】施錠状態の説明図。
【図１４】図１３に於いて、扉を閉じた時の説明図。
【符号の説明】１…戸枠、２…受け金具、３…縁、４…扉、５…錠箱、５ａ…ケース身、５ｂ…ケース蓋、６…フロント、７…取付け前板、８…ラッチ枠部、９…ケース身の後壁、１０，１０Ａ…作動杆枠部、１０ａ…上方水平突壁、１０ｂ…下方水平突壁、１１…切欠部、１２，１２Ａ…固定軸、１３…第３の水平突壁、１４…バネ収納空間、１５…嵌合突起、１７…ラッチカム用第１ストッパー部、１８…ケース身の上壁、１９…第２ストッパー部、２０…嵌合孔、２１…第１案内長孔、２２…第２案内長孔、２３…枢軸、２４…取付け突起、２５，２５Ａ…枢軸、３０，３０Ａ…ラッチカム、３１…操作ハンドル軸、３２…筒状嵌合部、３３…摺接部、３４，３４Ａ…被係合部、３５，３５Ａ…係合部、３６…操作ハンドル、４０，７４Ａ…仲介スライダー、４１…突片部、４２…仲介スライダーの被係合部、４３…貫通小孔、４４…突起ピン、４４Ａ…突起軸、４５…弧状面、４６…引き戻し揺動アーム、４７…軸孔、４８…長板部、４９…自由端部、５０，５０Ａ…作動杆、５１，５１Ａ…ラッチバネ、５２…被嵌合溝、５４，５４Ａ…切欠部、５５，５５Ａ…切欠部の被係合面、５６，５６Ａ…被係合部、６１…ラッチ、６２…係合頭部、６３…ラッチ軸、６５，６５Ａ…ラッチカムバネ、６６，６６Ａ…カム圧接体、７０，７０Ａ…ロック片、７１，７１Ａ…サムターンダルマ、７２，７２Ａ…リリース構成部材、７３…レバー、７３Ａ…第１作動ギヤ、７４…スライダー、７４Ａ…第２作動ギヤ、７５…サムターンダルマバネ、Ｘ…ラッチ引き戻し装置、Ｙ…サムターン錠の締め出し防止装置。
【図１】
2004204662.tif 000003
【図２】
2004204662.tif 000004
【図３】
2004204662.tif 000005
【図４】
2004204662.tif 000006
【図５】
2004204662.tif 000007
【図６】
2004204662.tif 000008
【図７】
2004204662.tif 000009
【図８】
2004204662.tif 000010
【図９】
2004204662.tif 000011
【図１０】
2004204662.tif 000012
【図１１】
2004204662.tif 000013
【図１２】
2004204662.tif 000014
【図１３】
2004204662.tif 000015
【図１４】
2004204662.tif 000016